(57)【要約】【課題】タッチ位置検知部に対しての意図しない入力を適切に抑制できる情報処理装置を提供する。【解決手段】撮像装置(情報処理装置)は、液晶パネルとバックライトとを有する背面モニタに設けられたタッチパネル（タッチ位置検知部）の入力に関して有効状態と無効状態との切替えが可能である。この撮像装置では、背面モニタの電源やバックライトがオフになった場合(ＳＴ１〜２)には、タッチパネル入力を無効化する動作(ＳＴ４)を行う一方、この無効状態において操作部への操作入力があった場合(ＳＴ３)には、タッチパネル入力を有効化する動作(ＳＴ６)を行う。これにより、タッチパネルに対しての意図しない入力を適切に抑制できる。【選択図】図８
2010044567.tif 000002
【特許請求の範囲】
【請求項１】
表示画面を有する表示手段に情報表示を行わせる表示制御手段と、
前記表示画面上でのタッチ位置を検知するタッチ位置検知部においてのタッチ入力に応答して所定の処理を実行するタッチ入力有効状態と、前記タッチ入力があっても前記所定の処理を実行しないタッチ入力無効状態との切替えを行う切替手段と、
前記タッチ位置検知部と異なる箇所に設けられ、所定の検知を行う検知部と、
を備え、
前記表示手段は、前記情報表示についての休止状態と非休止状態との切替えが可能となっており、
前記切替手段は、
前記表示手段が前記休止状態となった場合には、前記タッチ入力無効状態に設定する第１制御手段と、
前記第１制御手段によって設定されたタッチ入力無効状態において前記検知部で前記所定の検知があった場合には、前記タッチ入力有効状態に切替える第２制御手段と、
を有する情報処理装置。
【請求項２】
前記表示手段は、
前記表示画面に係る液晶パネルと、
前記液晶パネルを照明するバックライトと、
を有し、
前記休止状態は、前記表示手段への電源切断状態および／または前記バックライトの消灯状態である請求項１記載の情報処理装置。
【請求項３】
前記検知部は、
操作入力を検知する操作部、
を有し、
前記第２制御手段は、前記第１制御手段によって設定されたタッチ入力無効状態において前記操作部で前記操作入力が検知された場合には、前記タッチ入力有効状態に切替える請求項１記載の情報処理装置。
【請求項４】
前記検知部は、
前記情報処理装置に係る特定箇所に対しての把持を検知する把持検知部、
を有し、
前記第２制御手段は、前記第１制御手段によって設定されたタッチ入力無効状態において前記把持検知部で前記把持が検知された場合には、前記タッチ入力有効状態に切替える請求項１記載の情報処理装置。
【請求項５】
表示画面を有する表示手段に情報表示を行わせる表示制御手段と、
前記表示画面上でのタッチ位置を検知するタッチ位置検知部によるタッチ入力に応答して所定の処理を実行するタッチ入力有効状態と、前記タッチ入力があっても前記所定の処理を実行しないタッチ入力無効状態との切替えを行う切替手段と、
操作入力を受け付ける入力手段と、
を備え、
前記切替手段は、
所定の記憶手段に記憶された切替条件の情報に基づき、前記タッチ入力有効状態と前記タッチ入力無効状態とを切替える制御手段と、
前記入力手段に対する操作入力に基づき、前記切替条件を設定する条件設定手段、
を有する情報処理装置。
【請求項６】
表示画面を有する表示手段に情報表示を行わせる表示制御手段と、
前記表示画面上でのタッチ位置を検知するタッチ位置検知部においてのタッチ入力に応答して所定の処理を実行するタッチ入力有効状態と、前記タッチ入力があっても前記所定の処理を実行しないタッチ入力無効状態との切替えを行う切替手段と、
を備え、
前記表示手段は、
前記表示画面の姿勢変更が可能な姿勢変更機構と、
前記表示画面の姿勢を検知する姿勢検知手段と、
を有するとともに、
前記切替手段は、
前記姿勢検知手段で検知された前記表示画面の姿勢に応じて、前記タッチ入力有効状態と前記タッチ入力無効状態とを切替える制御手段、
を有する情報処理装置。
【発明の詳細な説明】
【技術分野】
【０００１】
本発明は、表示手段に情報表示を行わせる表示制御手段を備えた情報処理装置に関する。
【背景技術】
【０００２】
デジタルカメラ等の撮像装置(情報処理装置)においては、ユーザの入力手段としてタッチパネル(タッチ位置検出部)をモニタに備えたものが知られている。このようなタッチパネルによれば、モニタにおいて操作ボタン等を比較的大きく表すことが可能であるとともに、指先で軽くタッチするだけで入力を行えるため、操作性も良好である。
【０００３】
しかし、撮像装置の背面モニタにタッチパネルを設けると、光学ファインダを覗いた際に鼻などがタッチパネルに触れてしまい、ユーザの意図しない入力が行われるという不具合が生じる可能性がある。
【０００４】
このような不具合を改善する技術としては、例えば特許文献１に開示される撮像装置の技術がある。この撮像装置では、タッチパネルと異なる位置に特定の操作部材を設け、この操作部材への操作中だけユーザによるタッチパネル入力を受け付けることで、意図しない入力を抑えるようにしている。
【０００５】
ただし、特許文献１の撮像装置においてタッチパネル入力を行う際には、タッチパネルおよび特定の操作部材に対する２つの操作入力を同時に行わなければならず、ユーザ負担が大きく利便性が悪い。
【０００６】
そこで、特許文献２の撮像装置では、光学ファインダにユーザの眼が接近したことを検知する接眼検知部を設け、接眼検知部で接眼が検知された場合にタッチパネル入力を禁止することにより、ユーザ負担を軽減するようにしている。
【０００７】
【特許文献１】特開平９−４３６６６号公報
【特許文献２】特開２００１−５９９８４号公報
【発明の開示】
【発明が解決しようとする課題】
【０００８】
しかしながら、上記の特許文献２の撮像装置においては、接眼検知部で接眼が検知された場合のみタッチパネル入力を禁止するため、接眼が検知されない状態で例えばユーザの指が不用意にタッチパネル(タッチ位置検知部)に触れてしまった場合には、意図しない入力を適切に抑制できないこととなる。
【０００９】
本発明は、上記課題に鑑みてなされたものであり、タッチ位置検知部に対しての意図しない入力を適切に抑制できる情報処理装置を提供することを目的とする。
【課題を解決するための手段】
【００１０】
本発明の第１の側面は、情報処理装置であって、表示画面を有する表示手段に情報表示を行わせる表示制御手段と、前記表示画面上でのタッチ位置を検知するタッチ位置検知部においてのタッチ入力に応答して所定の処理を実行するタッチ入力有効状態と、前記タッチ入力があっても前記所定の処理を実行しないタッチ入力無効状態との切替えを行う切替手段と、前記タッチ位置検知部と異なる箇所に設けられ、所定の検知を行う検知部とを備え、前記表示手段は、前記情報表示についての休止状態と非休止状態との切替えが可能となっており、前記切替手段は、前記表示手段が前記休止状態となった場合には、前記タッチ入力無効状態に設定する第１制御手段と、前記第１制御手段によって設定されたタッチ入力無効状態において前記検知部で前記所定の検知があった場合には、前記タッチ入力有効状態に切替える第２制御手段とを有する。
【００１１】
また、本発明の第２の側面は、情報処理装置であって、表示画面を有する表示手段に情報表示を行わせる表示制御手段と、前記表示画面上でのタッチ位置を検知するタッチ位置検知部によるタッチ入力に応答して所定の処理を実行するタッチ入力有効状態と、前記タッチ入力があっても前記所定の処理を実行しないタッチ入力無効状態との切替えを行う切替手段と、操作入力を受け付ける入力手段とを備え、前記切替手段は、所定の記憶手段に記憶された切替条件の情報に基づき、前記タッチ入力有効状態と前記タッチ入力無効状態とを切替える制御手段と、前記入力手段に対する操作入力に基づき、前記切替条件を変更可能な条件変更手段を有する。
【００１２】
また、本発明の第３の側面は、情報処理装置であって、表示画面を有する表示手段に情報表示を行わせる表示制御手段と、前記表示画面上でのタッチ位置を検知するタッチ位置検知部においてのタッチ入力に応答して所定の処理を実行するタッチ入力有効状態と、前記タッチ入力があっても前記所定の処理を実行しないタッチ入力無効状態との切替えを行う切替手段とを備え、前記表示手段は、前記表示画面の姿勢変更が可能な姿勢変更機構と、前記表示画面の姿勢を検知する姿勢検知手段とを有するとともに、前記切替手段は、前記姿勢検知手段で検知された前記表示画面の姿勢に応じて、前記タッチ入力有効状態と前記タッチ入力無効状態とを切替える制御手段を有する。
【発明の効果】
【００１３】
本発明によれば、表示手段が休止状態となった場合には、表示画面上のタッチ位置検知部においてのタッチ入力をタッチ入力無効状態に設定する一方、このタッチ入力無効状態においてタッチ位置検知部と異なる箇所に設けられた検知部で所定の検知があった場合には、タッチ入力有効状態に切替える。その結果、タッチ位置検知部に対しての意図しない入力を適切に抑制できる。
【００１４】
また、本発明によれば、入力手段に対する操作入力に基づき、タッチ位置検知部に係るタッチ入力有効状態とタッチ入力無効状態とを切替える切替条件を設定するため、タッチ位置検知部に対しての意図しない入力を適切に抑制できる。
【００１５】
さらに、本発明によれば、表示画面の姿勢に応じて、表示画面上のタッチ位置検知部に係るタッチ入力有効状態とタッチ入力無効状態とを切替えるため、タッチ位置検知部に対しての意図しない入力を適切に抑制できる。
【発明を実施するための最良の形態】
【００１６】
＜第１実施形態＞
＜撮像装置の構成について＞
図１および図２は、本発明の第１実施形態に係る撮像装置１Ａの外観構成を示す図である。ここで、図１は、撮像装置１Ａの正面外観図であり、図２は、撮像装置１Ａの背面外観図である。この撮像装置１Ａは、レンズ交換式一眼レフレックスタイプのデジタルカメラとして構成され、可搬性を有した携帯型の情報処理装置として機能する。
【００１７】
図１に示すように、撮像装置１Ａは、カメラ本体部（カメラボディ）２を備えている。このカメラ本体部２に対して、交換式の撮影レンズである交換レンズ３の着脱が可能となっている。
【００１８】
交換レンズ３は、主として、鏡胴３６、ならびに鏡胴３６の内部に設けられるレンズ群３７(図５参照)及び絞り１９(図５参照)等によって構成される。レンズ群３７は、光学ズームに関するズーム倍率の変更が可能であり、光軸方向に移動することによって焦点位置を変更するフォーカスレンズを有している。
【００１９】
カメラ本体部２は、交換レンズ３が装着される円環状のマウント部Ｍｔを正面略中央に備え、交換レンズ３を着脱するための着脱ボタン８９を円環状のマウント部Ｍｔ付近に備えている。
【００２０】
また、カメラ本体部２は、その正面左上部にモード設定ダイヤル８２を備え、その正面右上部に制御値設定ダイヤル８６を備えている。モード設定ダイヤル８２を操作することによって、カメラの各種モード（各種撮影モード（人物撮影モード、風景撮影モード、およびフルオート撮影モード等）、撮影した画像を再生する再生モードや、撮像装置１Ａの各種設定を行う設定モード等を含む）の設定動作（切替動作）を行うことが可能である。また、制御値設定ダイヤル８６を操作することによれば、各種撮影モードにおける制御値を設定することが可能である。
【００２１】
また、カメラ本体部２は、正面左端部にユーザが把持するためのグリップ部１４を備えている。このグリップ部１４には、後述する接眼検知部１５と同様に発光素子１６１と受光素子１６２とを用いて撮像装置１Ａのグリップ部(特定箇所)１４に対しての把持を検知する把持検知部１６が設けられている。
【００２２】
グリップ部１４の上面には露光開始を指示するためのレリーズボタン１１が設けられている。グリップ部１４の内部には電池収納室とカード収納室とが設けられている。電池収納室にはカメラの電源として、例えば電池が収納されており、カード収納室には撮影画像の画像データを記録するためのメモリカード９０(図５参照)が着脱可能に収納されるようになっている。
【００２３】
レリーズボタン１１は、半押し状態（Ｓ１状態）と全押し状態（Ｓ２状態）との２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作およびＡＥ制御動作等）が行われる。また、レリーズボタン１１がさらに押し込まれてＳ２状態になると、当該本撮影画像の撮影動作（撮像素子５（後述）を用いて被写体像（被写体の光像）に関する露光動作を行い、その露光動作によって得られた画像信号に所定の画像処理を施す一連の動作）が行われる。
【００２４】
図２において、カメラ本体部２の背面略中央上部には、ファインダ窓（接眼窓）１０が設けられている。ユーザは、ファインダ窓１０を覗くことによって、交換レンズ３から導かれた被写体の光像を視認して構図決定を行うことができる。すなわち、交換レンズ３を通った被写体光像をファインダ窓１０に導く光学ファインダを用いて、ユーザの構図決め動作が可能となる(後で詳述)。
【００２５】
ファインダ窓１０の下には、赤外光を発する発光素子１５１と受光素子１５２とを備えた接眼検知部１５が配設されている。この接眼検知部１５により、例えばＬＥＤとして構成される発光素子１５１から発せられた赤外光がユーザの眼で反射され、この反射光を受光素子１５２で検出できれば、ユーザの眼がファインダ窓１０に接近していることの検知(接眼検知)が可能となる。
【００２６】
なお、撮像装置１Ａにおいては、背面モニタ１２（後述）に表示される本撮影前のライブビュー画像(プレビュー画像)を用いて構図決めを行うことも可能である。また、光学ファインダによる構図決め動作とライブビュー表示による構図決め動作との切換操作は、ユーザが切換ダイヤル８７を回転させることによって実現される。この切換操作等に関しては後で詳述する。
【００２７】
図２において、カメラ本体部２の背面には、可動式の背面モニタ１２が設けられている。背面モニタ１２は、例えばカラー液晶ディスプレイとして構成された表示画面１２ｆを備えて画像や文字などの情報表示についての休止状態と稼働状態(非休止状態)との切換えが可能なモニタ本体１２ａと、モニタ本体１２ａに回動自在に連結する２つの連結部材（リンク部材）１２ｂとで構成されている。そして、背面モニタ１２は、撮影条件等を設定するためのメニュー画面を表示したり、再生モードにおいてメモリカード９０に記録された撮影画像を再生表示することができる。また、背面モニタ１２では、撮像素子７（後述）によって取得された時系列の複数の画像（すなわち動画像）に基づくライブビュー表示が可能である。
【００２８】
また、背面モニタ１２は、上述のようにモニタ本体１２ａが２つの連結部材１２ｂに挟まれるように回動可能に保持されており、表示画面１２ｆの姿勢変更が可能な姿勢変更機構としての構成を備えている。このモニタ本体１２ａの姿勢変更について図３を参照して説明する。
【００２９】
図３は、モニタ本体１２ａの姿勢変更について説明するための図である。ここで、図３(ａ)および図３(ｂ)は、撮像装置１Ａの後部を示す側面図である。
【００３０】
背面モニタ１２における連結部材１２ｂの両端それぞれには、回動軸Ｃａを介してカメラ本体部２の背面下端付近が回動自在に接続されるとともに、回動軸Ｃｂを介してモニタ本体１２ａの上端付近が回動自在に接続されている。このような構成の背面モニタ１２により、図３(ａ)のようにモニタ本体１２ａがカメラ本体部２の筐体外面に密着した正立姿勢の基本姿勢Ｑｏ(破線で図示)から、モニタ本体１２ａを下向き方向Ｒａに回動させた傾斜姿勢Ｑａや、図３(ｂ)のようにモニタ本体１２ａを上向き方向Ｒｂに回動させた傾斜姿勢Ｑｂをとることが可能となっている。これにより、撮像装置１Ａでは、例えば図４(ａ)に示すようなローアングルでの撮影や、図４(ｂ)に示すようなハイアングルでの撮影を行えることとなる。
【００３１】
図１および図２に戻って、説明を続ける。
【００３２】
カメラ本体部２の背面の左上部には、メインスイッチ８１が設けられている。メインスイッチ８１は２点スライドスイッチからなり、接点を左方の「ＯＦＦ」位置に設定すると、電源がオフになり、接点の右方の「ＯＮ」位置に設定すると、電源がオンになる。
【００３３】
カメラ本体部２の背面の右上部には、再生モードへの変更指示を受け付ける再生ボタン８５が設けられている。この再生ボタン８５が撮影モードにて押下されると、撮影装置１Ａは再生モードに移行し、撮影済み画像が背面モニタ１２に表示される。
【００３４】
次に、図５を参照しながら、撮像装置１Ａの機能の概要について説明する。図５は、撮像装置１Ａの機能構成を示すブロック図である。
【００３５】
図５に示すように、撮像装置１Ａは、操作部８０、全体制御部１０１Ａ、フォーカス制御部１２１、ミラー制御部１２２、シャッタ制御部１２３、絞り駆動制御部１２４、タイミング制御回路１２５、およびデジタル信号処理回路５０等を備える。
【００３６】
操作部８０は、撮像装置１Ａの外面に現れた操作部材、具体的にはレリーズボタン１１（図１参照）を含む各種のボタンおよびスイッチ等を備えて構成されており、各々の操作部材ではユーザの操作入力を検知することが可能である。この操作部８０に対してのユーザ入力に応答して、全体制御部１０１Ａが各種動作を実現する。
【００３７】
全体制御部１０１Ａは、例えば制御プログラムを記憶するＲＯＭや一時的にデータを記憶するフラッシュメモリ等の記憶部が内蔵されたマイクロコンピュータからなり、撮像装置１Ａ内の各部の動作を制御するものである。この全体制御部１０１Ａは、機能的に、表示制御部１１１およびタッチパネル入力制御部１１２Ａを有している。
【００３８】
表示制御部１１１は、撮影画像や、撮影条件等を設定するためのメニュー画面などの情報表示を背面モニタ１２に行わせる。
【００３９】
タッチパネル入力制御部１１２Ａは、後述するタッチパネル１２９でのタッチ入力に応答して例えば背面モニタ１２に表示される各ボタンＢ１〜Ｂ８(図２)に割当てられた処理を実行するタッチ入力の有効状態と、タッチ入力があっても割当てられた処理を実行しないタッチ入力の無効状態との切替え制御を行う。このタッチパネル入力制御部１１２Ａは、例えば全体制御部１０１ＡのマイクロコンピュータでＲＯＭに格納された制御プログラムが実行されることでソフトウェア的に実現される。なお、記録媒体としてのメモリカード９０に記録されている制御プログラムを、全体制御部１０１ＡのＲＯＭにインストールすることにより、そのプログラムを撮像装置１Ａの動作に反映させることも可能である。
【００４０】
フォーカス制御部１２１は、全体制御部１０１Ａから入力される信号に基づいて制御信号を生成しモータＭ１を駆動することによって、撮影レンズユニット３のレンズ群３７に含まれるフォーカスレンズを移動する。また、フォーカスレンズの位置は、撮影レンズユニット３のレンズ位置検出部３９によって検出され、フォーカスレンズの位置を示すデータが全体制御部１０１Ａに送られる。このように、フォーカス制御部１２１および全体制御部１０１Ａ等は、フォーカスレンズの光軸方向の動きを制御する。
【００４１】
ミラー制御部１２２は、ミラー機構６が光路から退避した状態（ミラーアップ状態）とミラー機構６が光路を遮断した状態（ミラーダウン状態）との状態切替を制御する。ミラー制御部１２２は、全体制御部１０１Ａから入力される信号に基づいて制御信号を生成しモータＭ２を駆動することによって、ミラーアップ状態とミラーダウン状態とを切り替える。
【００４２】
シャッタ制御部１２３は、全体制御部１０１Ａから入力される信号に基づいて制御信号を生成しモータＭ３を駆動することによって、シャッタ４の開閉を制御する。
【００４３】
絞り駆動制御部１２４は、全体制御部１０１Ａから入力される信号に基づいて制御信号を生成しモータＭ４を駆動することによって、撮影レンズユニット３に設けられた絞り１９の絞り径を制御する。
【００４４】
この絞り駆動制御部１２４(および全体制御部１０１Ａ)により、本撮影時にはＡＥ制御動作によって決定された絞り値に絞り１９が絞込まれることで、適切な露出状態(および合焦状態)の撮影画像が得られることとなる。
【００４５】
タイミング制御回路１２５は、撮像素子５等に対するタイミング制御を行う。
【００４６】
撮像素子（例えばＣＭＯＳセンサ）５は、レンズ群３７を介して受光した被写体光像を光電変換作用によって電気的信号に変換し、本撮影画像に係る画像信号（記録用の画像信号）を生成する。この撮像素子５は、記録画像取得用の撮像素子であるとも表現される。
【００４７】
撮像素子５は、タイミング制御回路１２５から入力される駆動制御信号（蓄積開始信号および蓄積終了信号）に応答して、受光面に結像された被写体像の露光（光電変換による電荷蓄積）を行い、当該被写体像に係る画像信号を生成する。また、撮像素子５は、タイミング制御回路１２５から入力される読出制御信号に応答して、当該画像信号を信号処理部５１へ出力する。また、タイミング制御回路１２５からのタイミング信号（同期信号）は、信号処理部５１及びＡ／Ｄ（アナログ／デジタル）変換回路５２にも入力される。
【００４８】
撮像素子５で取得された画像信号は、信号処理部５１においてオートゲインコントロール(ＡＧＣ)などのアナログ信号処理が施され、当該アナログ信号処理後の画像信号はＡ／Ｄ変換回路５２によってデジタル画像データ（画像データ）に変換される。この画像データは、デジタル信号処理回路５０に入力される。
【００４９】
デジタル信号処理回路５０は、Ａ／Ｄ変換回路５２から入力される画像データに対してデジタル信号処理を行い、撮像画像に係る画像データを生成する。デジタル信号処理回路５０は、黒レベル補正回路５３、ホワイトバランス（ＷＢ）回路５４、γ補正回路５５及び画像メモリ５６を備える。
【００５０】
黒レベル補正回路５３は、Ａ／Ｄ変換回路５２が出力した画像データを構成する各画素データの黒レベルを基準の黒レベルに補正する。ＷＢ回路５４は、画像のホワイトバランス調整を行う。γ補正回路５５は、撮像画像の階調変換を行う。画像メモリ５６は、生成された画像データを一時的に記憶するための、高速アクセス可能な画像メモリであり、複数フレーム分の画像データを記憶可能な容量を有する。
【００５１】
本撮影時には、画像メモリ５６に一時記憶される画像データは、全体制御部１０１Ａにおいて適宜画像処理（圧縮処理等）が施された後、カードＩ／Ｆ１３２を介してメモリカード９０に記憶される。
【００５２】
また、画像メモリ５６に一時記憶される画像データは、全体制御部１０１Ａによって適宜ＶＲＡＭ１３１に転送され、背面モニタ１２に画像データに基づく画像が表示される。これによって、撮影画像を確認するための確認表示（アフタービュー表示）、および撮影済みの画像を再生する再生表示等が実現される。
【００５３】
また、撮像装置１Ａは、撮像素子５とは別の撮像素子７（図４も参照）をさらに備えている。撮像素子７は、いわゆるライブビュー画像取得用（電子ファインダ用）の撮像素子としての役割を果たす。
【００５４】
この撮像素子７についても、撮像素子５と同様の構成を有している。ただし、撮像素子７は、ライブビュー用の画像信号（動画像）を生成するための解像度を有していればよく、通常、撮像素子５よりも少ない数の画素で構成される。
【００５５】
撮像素子７で取得された画像信号に対しても、撮像素子５で取得された画像信号と同様の信号処理が施される。すなわち、撮像素子７で取得された画像信号は、信号処理部５１で所定の処理が施され、Ａ／Ｄ変換回路５２でデジタルデータに変換された後、デジタル信号処理回路５０で所定の画像処理が施され、画像メモリ５６に格納される。
【００５６】
また、撮像素子７で取得され画像メモリ５６に格納される時系列の画像データは、全体制御部１０１ＡによってＶＲＡＭ１３１に順次に転送され、当該時系列の画像データに基づく画像が背面モニタ１２に表示される。すなわち、本撮影の前に撮像素子７で順次に生成される画像に基づく画像表示を背面モニタ１２で行わせる電子ファインダが実現される。これによって、構図決めを行うための動画的態様の表示(ライブビュー表示)が実現される。
【００５７】
背面モニタ１２においては、上述したアフタービュー表示やライブビュー表示を行うための液晶ディスプレイ(ＬＣＤ)１２６と、ＬＣＤ１２６上に配置される透明なタッチパネル１２９とがモニタ本体１２ａに設けられている。
【００５８】
ＬＣＤ１２６は、表示画面１２ｆを構成する液晶パネル１２７と、液晶パネル１２７の背後から照明するバックライト１２８とを備えている。そして、ＬＣＤ１２６の電源およびバックライト１２８については、オートパワーオフ機能や、予め定められたユーザ操作によりオフ状態にすることが可能である。なお、オートパワーオフ機能によって移行したスリープ状態において、操作部８０を構成する複数の操作部材のうち何れかの操作部材に対してのユーザ操作が行われると、撮像装置１Ａがウェイクアップ(覚醒)してＬＣＤ１２６の電源がオンに切り替わる。
【００５９】
タッチパネル１２９は、背面モニタ１２の表示画面１２ｆ上においてユーザがタッチしたタッチ位置を検知するタッチ位置検知部として機能し、ユーザの操作入力を受け付けることが可能である。
【００６０】
このような構成の背面モニタ１２により、例えば図２に示すように各ボタンＢ１〜Ｂ８をＬＣＤ１２６に表示させ、そのタッチ操作をタッチパネル１２９で検出するようにすれば、各ボタンＢ１〜Ｂ８に対するユーザ操作の検知を行える。これにより、タッチパネル１２９へのユーザ入力(以下では「タッチパネル入力」ともいう)を撮像装置１Ａの動作に反映させることが可能となるが、常にタッチパネル入力を有効にすれば、ユーザが誤ってタッチパネル１２９に触れた場合などには、ユーザの意図しない撮像装置１Ａの動作が引き起こされる可能性がある。そこで、撮像装置１Ａにおいては、例えば背面モニタ１２の電源オフ時やバックライト１２８のオフ(消灯)時に、タッチパネル入力を無効化して撮像装置１Ａの動作に反映させない制御を全体制御部１０１Ａ（のタッチパネル入力制御部１１２Ａ）で行うようにする(後で詳述)。
【００６１】
また、撮像装置１Ａには、上述した接眼検知部１５および把持検知部１６を備えて撮像装置１Ａの状態等を検出する検出部１３が設けられている。この検出部１３は、モニタ本体１２ａにおける表示画面１２ｆの姿勢を検知するモニタ姿勢検知部１７と、カメラ本体部２の姿勢を検知するカメラ姿勢検知部１８とをさらに備えている。
【００６２】
モニタ姿勢検知部１７は、図３(ａ)に示す回動軸Ｃａを中心としたカメラ本体部２と連結部材１２ｂとの回動角度を検出するためのロータリーエンコーダ等のセンサ(不図示)と、図３(ｂ)に示す回動軸Ｃｂを中心としたモニタ本体１２ａと連結部材１２ｂとの回動角度を検出するためのロータリーエンコーダ等のセンサ(不図示)とを有している。これらのセンサにより、カメラ本体２に対するモニタ本体１２ａの姿勢検知が可能となる。
【００６３】
カメラ姿勢検知部１８は、例えばカメラ本体部２の内部に設けられたジャイロセンサ（不図示）により、カメラ本体部２の姿勢検知を行う。
【００６４】
また、撮像装置１Ａは、通信用Ｉ／Ｆ１３３を有しており、当該インターフェイス１３３の接続先の機器（例えば、パーソナルコンピュータ等）とデータ通信をすることが可能である。
【００６５】
さらに、撮像装置１Ａは、フラッシュ４１、フラッシュ制御回路４２、およびＡＦ補助光発光部４３を備えている。フラッシュ４１は、被写体の輝度不足時等に利用される光源である。このフラッシュ４１の点灯の有無および点灯時間等は、フラッシュ制御回路４２および全体制御部１０１Ａ等によって制御される。ＡＦ補助光発光部４３は、ＡＦ用の補助光源である。このＡＦ補助光発光部４３の点灯の有無および点灯時間等は、全体制御部１０１Ａ等によって制御される。
【００６６】
＜撮像装置１Ａでの構図決め動作（フレーミング動作）について＞
つぎに、撮像装置１Ａにおける構図決め動作（フレーミング動作）について説明する。上述したように、撮像装置１Ａにおいては、光学ファインダを用いた構図決め（フレーミング）を行うことが可能であるとともに、背面モニタ１２に表示されるライブビュー画像を用いた構図決め（電子ファインダによる構図決め）を行うことも可能である。
【００６７】
後述するように、ユーザは切換ダイヤル８７(図１)を操作することによって、光学ビューファインダ（ＯＶＦ）を用いて構図決めを行うか、電子ビューファインダ（ＥＶＦ）を用いて構図決めを行うかを選択することができる。
【００６８】
図６および図７は、撮像装置１Ａの断面図である。図６は、光学ファインダを用いた構図決め動作を示しており、図７は、電子ファインダを用いた構図決め動作を示している。
【００６９】
図６等に示すように、交換レンズ３から撮像素子５に至る光路（撮影光路）上にはミラー機構６が設けられている。ミラー機構６は、撮影光学系からの光を上方に向けて反射する主ミラー６１（主反射面）を有している。この主ミラー６１は、例えばその一部または全部がハーフミラーとして構成され、撮影光学系からの光の一部を透過する。また、ミラー機構６は、主ミラー６１を透過した光を下方に反射させるサブミラー６２（副反射面）をも有している。サブミラー６２により下方に反射された光は、ＡＦモジュール２０へと導かれて入射し、位相差方式のＡＦ動作に利用される。
【００７０】
撮影モードにおいてレリーズボタン１１が全押し状態Ｓ２にされるまで、換言すれば構図決めの際には、ミラー機構６はミラーダウン状態となるように配置される（図６および図７参照）。そして、この際には、交換レンズ３からの被写体像は、主ミラー６１で上方に反射され観察用光束としてペンタミラー６５に入射する。ペンタミラー６５は、複数のミラー（反射面）を有しており、被写体像の向きを調整する機能を有している。また、ペンタミラー６５に入射した後の、観察用光束の進路は、上記の両方式（すなわち光学ファインダ方式および電子ファインダ方式）のいずれが選択されて構図決めを行うかに応じて異なっている。これについては後述する。
【００７１】
一方、レリーズボタン１１が全押し状態Ｓ２にされると、ミラー機構６がミラーアップ状態となるように駆動されるとともにシャッターユニット４が開放され、露光動作が開始される。被写体に係る記録用静止画像を取得する際の動作（すなわち露光の際の動作）は、上記の両方式（すなわち光学ファインダ方式および電子ファインダ方式）による構図決めに共通である。
【００７２】
＜光学ファインダによる構図決め動作＞
次に、構図決めの際の上記両方式の各動作についてそれぞれ説明する。
【００７３】
まず、光学ファインダを用いた構図決め動作について説明する。
【００７４】
図６に示すように、ミラー機構６の主ミラー６１およびサブミラー６２が、交換レンズ３からの被写体像の光路上に配置されると、被写体像が主ミラー６１とペンタミラー６５と接眼レンズ６７とを介してファインダ窓１０へと導かれる。このような光学ファインダでは、主ミラー６１とペンタミラー６５と接眼レンズ６７とを含むファインダ光学系６０により、レンズ群（撮影光学系）３７からの光束であって主ミラー(主反射面)６１で反射された光束である観察用光束をファインダ窓１０へと導くことが可能である。
【００７５】
詳細には、交換レンズ３からの光は、主ミラー６１で反射されて上方に進路を変更し、焦点板６３において結像し、焦点板６３を通過する。その後、焦点板６３を通過した光は、ペンタミラー６５でその進路をさらに変更した後に接眼レンズ６７を通ってファインダ窓１０へ向かう（図６の光路ＰＡ参照）。このようにして、ファインダ窓１０を通過した被写体像はユーザ（観察者）の眼に到達して視認される。すなわち、ユーザはファインダ窓１０を覗くことによって、被写体像を確認することができる。
【００７６】
ここにおいて、ペンタミラー６５は、三角屋根状に形成された２面のミラー（ダハミラー）６５ａ，６５ｂと、当該ダハミラー（ダハ面）６５ａ，６５ｂに対して固定された面６５ｃと、切換ダイヤル８７の操作により軸ＡＸ１を中心とした回転駆動が可能なミラー（以下では「可動ミラー」ともいう）６５ｅとを有している。また、三角屋根状の２面のミラー６５ａ，６５ｂは、プラスチック成型により一体部品６５ｄとして形成されている。主ミラー６１で反射されて上方に進路を変更した光は、ダハミラー６５ａ，６５ｂで反射されて左右反転されて進行し、さらに可動ミラー６５ｅでも反射されることによって上下も反転されてユーザの眼に到達する。このように、交換レンズ３において左右上下が反転されていた光像は、ペンタミラー６５でさらに左右上下が反転される。これにより、ユーザは、光学ファインダにおいて、その上下左右が実際の被写体と同じ状態で被写体像を観察することができる。
【００７７】
また、主ミラー６１を透過した光はサブミラー６２で反射されて下方に進路を変更しＡＦモジュール２０へと進入する。ＡＦモジュール２０では、主ミラー６１およびサブミラー６２を介して進入してきた光を用いて、測距動作が行われる。
【００７８】
＜電子ファインダによる構図決め動作＞
次に、電子ファインダを用いた構図決め動作について説明する。
【００７９】
この場合にも、図７に示すように、ミラー機構６の主ミラー６１およびサブミラー６２が、交換レンズ３からの被写体像の光路上に配置される。そして、交換レンズ３からの光は、主ミラー６１で反射されて上方に進路を変更し、焦点板６３において結像し、焦点板６３を通過する。
【００８０】
ただし、この電子ファインダによる構図決め動作においては、焦点板６３を通過した光は、ペンタミラー６５でその進路をさらに変更した後に、結像レンズ６９（結像光学系）を通過して撮像素子７の撮像面上で再結像する（図７の光路ＰＢ参照）。なお、主ミラー６１で反射されて上方に進路を変更した光は、ダハミラー６５ａ，６５ｂで反射されて左右反転されて進行し、さらに可動ミラー６５ｅでも反射されることによって上下も反転され、さらに結像レンズ６９で上下左右反転されて撮像素子７に到達する。
【００８１】
より詳細には、図６と比較すると判るように、図７においては可動ミラー６５ｅの角度（カメラ本体部２に対する角度）が変更されている。具体的には、可動ミラー６５ｅは、図６の状態から、その下端側の軸ＡＸ１を中心に矢印ＡＲ１の向きに所定角度α回動している。すなわち、可動ミラー６５ｅの姿勢に関しては、主ミラー６１で反射された光束(観察用光束)をファインダ窓１０に向かって反射させる図６の姿勢Ｔａから、観察用光束を撮像素子７に向かって反射させる図７の姿勢Ｔｂへと切換えられる。
【００８２】
このように可動ミラー６５ｅの姿勢を変更することによって、可動ミラー６５ｅで反射される光（観察用光束）の反射角度が変更され、当該可動ミラー６５ｅによる反射光の進行経路が変更される。具体的には、図６の状態に比べて、可動ミラー６５ｅへの入射角度θ１が比較的小さくなり、反射角度θ２も比較的小さくなる。その結果、可動ミラー６５ｅの反射光は、接眼レンズ６７に向かう光路からダハミラー６５ａ，６５ｂ寄りの光路へとその進路を上方に変更し、結像レンズ６９を通過して撮像素子７に到達する。なお、結像レンズ６９および撮像素子７は、接眼レンズ６７よりも上方に配置されており、且つ、光学ファインダ使用時に可動ミラー６５ｅから接眼レンズ６７へと進行する光束を遮らない位置に配置されている。
【００８３】
また、可動ミラー６５ｅで反射された光束の進路は、可動ミラー６５ｅの変更角度αに応じて、その２倍の大きさの角度β（＝２×α）変更される。逆に言えば、反射光路の進行角度を角度β変更するために、可動ミラー６５ｅの回転角度は、当該角度βの半分の角度αで済む。すなわち、可動ミラー６５ｅの比較的小さな回転角度で可動ミラー６５ｅの反射光の進路を比較的大きく変更することが可能である。また、可動ミラー６５ｅと撮像素子７とは比較的離れて配置されているため、可動ミラー６５ｅの回転角度を小さく変更するだけで、可動ミラー６５ｅによる２つの反射光を、互いに離れて配置された接眼レンズ６７および撮像素子７へと確実に導くことが可能である。すなわち、可動ミラー６５ｅの回転角度を小さく変更することによって可動ミラー６５ｅによる反射光の光束を良好に２つの光路に選択的に進行させることが可能である。したがって、可動ミラー６５ｅの回転によるスペースの増大は最小限に止められる。
【００８４】
撮像素子７は、可動ミラー６５ｅで反射され結像レンズ６９を通過して撮像素子７に到達した被写体像に基づいて、ライブビュー画像を生成する。具体的には、主ミラー６１で反射された光束（観察用光束）を受光する撮像素子７において微小時間間隔（例えば、１／６０秒）で複数の画像信号を順次に生成する。そして、取得された時系列の画像信号は背面モニタ１２において順次に表示(ライブビュー表示)される。これによって、ユーザは、背面モニタ１２に表示される動画像（ライブビュー画像）を視認し、当該動画像を用いて構図決めを行うことが可能になる。
【００８５】
また、この場合も、光学ファインダによる構図決めの際（図６参照）と同様に、主ミラー６１とサブミラー６２とを介してＡＦモジュール２０に入射した光を用いてＡＦ動作が実現される。
【００８６】
以上のように、可動ミラー６５ｅで反射した後の観察用光束の進路は、可動ミラー６５ｅの反射角度の変更によって、可動ミラー６５ｅから接眼レンズ６７およびファインダ窓１０に向かう光路ＰＡ（図６）と、可動ミラー６５ｅから結像レンズ６９および撮像素子７に向かう光路ＰＢ（図７）との間で切り換えられる。換言すれば、当該観察用光束の進路は、可動ミラー６５ｅの反射角度の変更によって、可動ミラー６５ｅで反射されてファインダ窓１０に向かう第１の光路ＰＡと、可動ミラー６５ｅで反射されて撮像素子７に向かう第２の光路ＰＢとの間で切り換えられる。
【００８７】
そして、撮像装置１Ａにおいては、ペンタミラー６５を構成する複数のミラー６５ａ，６５ｂ，６５ｅのうち、或る反射面（可動ミラー６５ｅ）の反射角度が変更される一方で、他の反射面（ダハミラー６５ａ，６５ｂ）は固定されている。すなわち、複数の反射面のうち、一の反射面６５ｅのみを駆動することによって観察用光束の進路が変更されるので、駆動部分を少なくしコンパクトな構成にすることができる。また、撮像装置１Ａにおいては、ファインダ光学系６０のペンタミラー６５に含まれる複数の反射面のうち、ダハミラー６５ａ，６５ｂ以外の反射面である可動ミラー６５ｅの反射角度を変更して、観察用光束の進路を変更している。これにより、ダハミラー６５ａ，６５ｂを駆動する場合に比べて容易に観察用光束の進路を変更することができる。
【００８８】
以上のような構成の撮像装置１Ａにおいて、電子ファインダによる構図決めをユーザが所望している場合には、可動ミラー６５ｅを図７に示す姿勢Ｔｂにセットして撮像素子７に向かう光路ＰＢを選択するとともに、背面モニタ１２をオン状態（表示状態）にして撮像素子７から得られる画像信号に基づくライブビュー表示を行うようにする。
【００８９】
一方、光学ファインダによる構図決めをユーザが所望している場合には、可動ミラー６５ｅを図６に示す姿勢Ｔａにセットしてファインダ窓１０に向かう光路ＰＡを選択するようにする。
【００９０】
以上のような構成を有する撮像装置１Ａの具体的な動作について、以下で説明する。
【００９１】
＜撮像装置１Ａの動作＞
図８は、撮像装置１Ａの基本的な動作を示すフローチャートである。この動作は、タッチパネル入力に関する制御動作を示しており、全体制御部１０１Ａで実行される。
【００９２】
メインスイッチ８１に対するユーザ操作によって撮像装置１Ａの電源がオンにされると、背面モニタ１２の電源がオフにされたかを判定する(ステップＳＴ１)。すなわち、背面モニタ１２への電源切断状態となって背面モニタ１２が休止状態(不使用状態)となったか否かを判断する。ここで、背面モニタ１２の電源がオフにされた場合には、ステップＳＴ３に進み、オフにされない場合には、ステップＳＴ２に進む。
【００９３】
ステップＳＴ２では、バックライト１２８がオフにされたかを判定する。すなわち、バックライト１２８の消灯状態となって背面モニタ１２が休止状態となったか否かを判断する。ここで、バックライト１２８がオフにされた場合には、ステップＳＴ３に進み、オフにされない場合には、ステップＳＴ５に進む。
【００９４】
以上のようなステップＳＴ１〜ＳＴ２の動作により、背面モニタ１２が休止状態となった場合には、原則として後述のステップＳＴ４でタッチパネル入力がタッチパネル入力制御部１１２Ａにおいて無効状態に設定されることとなり、タッチパネル入力が不要な場面での意図しない入力を効果的に抑制できる。
【００９５】
ステップＳＴ３では、操作部８０への操作入力があったかを判定する。具体的には、操作部８０を構成する複数の操作部材のうち何れかの操作部材においてユーザの操作入力が検知されたか否かを判断する。ここで、操作部８０への操作入力があった場合には、ステップＳＴ６に進み、操作入力がない場合には、ステップＳＴ４に進む。
【００９６】
上記のステップＳＴ３の動作により、背面モニタ１２が休止状態となったことによってタッチパネル入力制御部１１２Ａで設定されたタッチパネル入力の無効状態において、タッチパネル１２９と異なる箇所に設けられた操作部８０でユーザ操作が検知された場合には、タッチパネル入力が有効状態に切替えられる。これにより、適切なタイミングでタッチパネル入力の有効状態に復帰できる。
【００９７】
ステップＳＴ４では、タッチパネル入力を無効化する。すなわち、タッチパネル１２９に対するユーザ入力をタッチパネル入力制御部１１２Ａで無効に設定する。
【００９８】
ステップＳＴ５では、タッチパネル入力が無効状態であるかを判定する。すなわち、ステップＳＴ４でタッチパネル１２９に対するユーザ入力を無効に設定してから、その設定状態が維持されているか否かを判断する。ここで、タッチパネル入力が無効状態である場合には、ステップＳＴ６に進み、無効状態でない場合には、ステップＳＴ１に戻る。
【００９９】
ステップＳＴ６では、タッチパネル入力を有効化する。すなわち、タッチパネル１２９に対するユーザ入力をタッチパネル入力制御部１１２Ａで有効に設定する。この際には、タッチパネル入力に備えるため、背面モニタ１２の電源やバックライト１２８をオンにして背面モニタ１２における情報表示についての休止状態を解除する。
【０１００】
以上の撮像装置１Ａの動作により、タッチパネル入力を受付ける必要性がない背面モニタ１２の休止状態においてタッチパネル入力を無効化できる一方、この休止状態においては操作部８０への操作入力に応答してタッチパネル入力を有効化できる。これにより、タッチパネルに対しての意図しない入力を適切に抑制できる。
【０１０１】
なお、撮像装置１Ａでは、上記のステップＳＴ３(およびステップＳＴ６)において操作部８０における何れかの操作部材に対してのユーザ操作があった場合にタッチパネル入力を有効化するのは必須でなく、操作部８０における一部の特定の操作部材（例えばレリーズボタン１１や再生ボタン８５）に対してのユーザ操作があった場合にタッチパネル入力を有効化するようにしても良い。また、タッチパネル１２９と異なる箇所に設けられた検出部１３での検知時、例えば把持検知部１６でユーザによるグリップ部１４の把持が検知された場合に、タッチパネル入力を有効化するようにしても良い。これによっても、適切なタイミングでタッチパネル入力の有効状態に復帰できることとなる。
【０１０２】
また、撮像装置１Ａでは、背面モニタ１２の電源やバックライト１２８のオフ時にタッチパネル入力を無効化するのは必須でなく、液晶パネル１２７全面を遮光状態にしてＬＣＤ１２６全体を黒表示状態、いわゆる黒ミュートの状態とした背面モニタ１２の休止時にタッチパネル入力を無効化するようにしても良い。
【０１０３】
＜第２実施形態＞
本発明の第２実施形態に係る撮像装置１Ｂは、図１〜２および図５に示す第１実施形態の撮像装置１Ａと類似の構成を有しているが、全体制御部の構成が相違している。
【０１０４】
すなわち、撮像装置１Ｂの全体制御部１０１Ｂにおいては、以下で説明する撮像装置１Ｂの動作を行うための制御プログラムがタッチパネル入力制御部１１２Ｂに格納されている。
【０１０５】
＜撮像装置１Ｂの動作＞
上述した第１実施形態の撮像装置１Ａでは、図８のステップＳＴ１〜２に示すように背面モニタ１２の電源またはバックライト１２８がオフになった場合に、操作部８０への操作入力がないことを条件として、強制的にタッチパネル入力が無効状態に設定されていた。換言すれば、タッチパネル入力が有効となる条件として、背面モニタ１２の電源オン時およびバックライト１２８のオン時が固定的に設定されていた。
【０１０６】
このような撮像装置１Ａに対して第２実施形態の撮像装置１Ｂでは、タッチパネル入力が有効となる条件をカスタマイズ可能とし、利便性の向上を図るようにしている。この撮像装置１Ｂの具体的な動作を、以下で説明する。
【０１０７】
図９は、撮像装置１Ｂの基本的な動作を説明するための図である。この動作は、タッチパネル入力が有効となる条件を設定する際の動作を示しており、全体制御部１０１Ｂで実行される。
【０１０８】
撮像装置１Ｂにおいて、モード設定ダイアル８２を操作し撮像装置１Ｂの各種設定を行う設定モードを選択すると、図９(ａ)に示すようなメニュー画面が背面モニタ１２の表示画面１２ｆに表示される。このメニュー画面において、タッチパネル１２９に対するユーザ操作等により、メニュー項目「タッチパネル入力の条件設定」を選択すると、背面モニタ１２の電源オン時やバックライト１２８のオン時、または常時にタッチパネル入力を有効にさせる設定が可能となる。
【０１０９】
具体的には、図９(ｂ)に示すようにメニュー項目「背面モニタの電源オン時」を選択すると、背面モニタ１２の電源がオンとなる場合のみ、タッチパネル１２９へのユーザ入力を有効化できる。
【０１１０】
一方、図９(ｂ)に示すようにメニュー項目「バックライトのオン時」を選択すると、バックライト１２８がオンとなる場合のみ、タッチパネル１２９へのユーザ入力を有効化できる。
【０１１１】
また、図９(ｃ)に示すようにメニュー項目「常時」を選択すると、常に、つまり背面モニタ１２の電源やバックライト１２８の状態に関わらずタッチパネル１２９へのユーザ入力を有効化できる。
【０１１２】
このようにタッチパネル１２９に対する操作入力に基づきタッチパネル入力の有効状態と無効状態とを切替える切替条件の設定がなされると、設定された切替条件の情報が例えば全体制御部１０１Ｂのフラッシュメモリに記憶される。これにより、ユーザによってカスタマイズされメモリに記憶された切替条件の情報に基づき、タッチパネル入力制御部１１２Ｂでタッチパネル入力の制御を行えることとなる。
【０１１３】
以上の撮像装置１Ｂの動作により、タッチパネル入力に関する有効状態と無効状態との切替条件をカスタマイズできるため、ユーザが設定したタッチパネル入力の有効条件以外では、タッチパネルに対しての意図しない入力を適切に抑制できる。
【０１１４】
＜第３実施形態＞
本発明の第３実施形態に係る撮像装置１Ｃは、図１〜２および図５に示す第１実施形態の撮像装置１Ａと類似の構成を有しているが、全体制御部の構成が相違している。
【０１１５】
すなわち、撮像装置１Ｃの全体制御部１０１Ｃにおいては、以下で説明する撮像装置１Ｃの動作を行うための制御プログラムがタッチパネル入力制御部１１２Ｃに格納されている。
【０１１６】
＜撮像装置１Ｃの動作＞
上述した第１実施形態の撮像装置１Ａにおいては、図８のステップＳＴ１〜２に示すように背面モニタ１２の電源またはバックライト１２８がオフになった場合に、操作部８０への操作入力がないことを条件として、タッチパネル入力が無効状態に設定されていた。
【０１１７】
このような撮像装置１Ａに対して第３実施形態の撮像装置１Ｃでは、背面モニタ１２の電源またはバックライト１２８がオフになった場合でも、背面モニタ１２の姿勢状態に応じて、タッチパネル入力の有効・無効を切り替えるようにしている。具体的には、図１０に示すようなデータテーブルを全体制御部１０１Ｃに格納し、このデータテーブルに基づいたタッチパネル入力の制御が行われる。このような撮像装置１Ｃの動作を、以下で詳しく説明する。
【０１１８】
図１１は、撮像装置１Ｃの基本的な動作を示すフローチャートである。この動作は、タッチパネル入力に関する制御動作を示しており、図１０に示すデータテーブルに基づき全体制御部１０１Ｃで実行される。
【０１１９】
ステップＳＴ１１〜１２では、図８のフローチャートに示すステップＳＴ１〜２と同様の動作を行う。
【０１２０】
ステップＳＴ１３では、背面モニタ１２が傾斜姿勢であるかを判定する。具体的には、背面モニタ１２の表示画面１２ｆが図３(ａ)や図３(ｂ)に示す傾斜姿勢Ｑａ、Ｑｂとなっているか否かを、モニタ姿勢検知部１７を用いて判断する。ここで、背面モニタ１２が傾斜姿勢である場合には、ユーザがタッチパネル１２９を含む背面モニタ１２を使用する意志があるとしてステップＳＴ１６に進み、タッチパネル入力を有効化する。一方、背面モニタ１２が傾斜姿勢でなく基本姿勢Ｑｏ(図３(ａ)の斜線部)である場合には、ステップＳＴ１４に進んでパッチパネル入力を無効化する。
【０１２１】
ステップＳＴ１４〜１６では、図８のフローチャートに示すステップＳＴ４〜６と同様の動作を行う。
【０１２２】
以上のような撮像装置１Ｃの動作により、モニタ姿勢検知部１７で検知された表示画面１２ｆの姿勢に応じてタッチパネル入力の有効状態と無効状態とを切替えるため、タッチパネルに対しての意図しない入力を適切に抑制できる。
【０１２３】
なお、撮像装置１Ｃでは、背面モニタ１２の電源やバックライト１２９がオフの状態において背面モニタ１２が傾斜姿勢となっている場合に、強制的にタッチパネル入力を有効化するのは必須でなく、第２実施形態のようにカスタマイズ可能な構成としても良い。この具体的な動作を、以下で説明する。
【０１２４】
図１２は、タッチパネル入力の条件設定に関する動作を説明するための図である。
【０１２５】
モード設定ダイアル８２を操作し撮像装置の各種設定を行う設定モードを選択すると、図１２(ａ)に示すようなメニュー画面が背面モニタ１２の表示画面１２ｆに表示される。このメニュー画面において、タッチパネル１２９に対するユーザ操作等により、メニュー項目「タッチパネル入力の条件設定」における「背面モニタの電源オフ」を選択すると、背面モニタ１２の電源オフ時において背面モニタ１２の姿勢状態に応じたタッチパネル入力の有効・無効を設定することが可能となる。
【０１２６】
具体的には、図１２(ｂ)に示すように背面モニタ１２の各姿勢（基本姿勢および傾斜姿勢）ごとにタッチパネル１２９へのユーザ入力について有効化・無効化の切替条件の設定を行える。なお、このように設定されたタッチパネル入力の切替条件は、全体制御部１０１Ｃに格納されたデータテーブル(図１０参照)の記述内容が更新されることで保存される。
【０１２７】
以上のような動作により、背面モニタ１２の姿勢に応じてタッチパネル入力に関する有効状態と無効状態との切替条件をカスタマイズできるため、ユーザの所望するタッチパネル入力の条件設定が可能となる。
【０１２８】
また、撮像装置１Ｃのモニタ姿勢検知部１７においては、次で説明する手法で背面モニタ１２が傾斜姿勢であるか否かを検知しても良い。
【０１２９】
図１３は、背面モニタ１２の姿勢検知に関する他の手法を説明するための図である。
【０１３０】
接眼検知部１５に関しては、カメラ本体２の後方に向かって伸び、ユーザの眼などの接眼を検知することが可能な領域(接眼検知可能領域)Ｅｄ(平行斜線部)が規定されている。ここで、モニタ本体１２ａが図１３に示すような傾斜姿勢となった場合には、モニタ本体１２ａの一部(角部)Ｋｐが接眼検知可能領域Ｅｄに侵入するため、これが接眼検知部１５で検知される。これにより、接眼検知部１５での検知結果を受け取ったモニタ姿勢検知部１７では、背面モニタ１２ａが傾斜姿勢であるか否かの検知が可能となる。
【０１３１】
＜変形例＞
・上記の各実施形態においては、デジタルカメラとして構成されるのは必須でなく、銀塩カメラ(フィルムカメラ)として構成されても良い。
【０１３２】
また、上記の各実施形態においては、撮像装置として構成されるのは必須でなく、タッチパネル付きのモニタを備えたＰＤＡや携帯端末などの情報処理装置(電子機器)として構成されても良い。このような場合でも、モニタの電源オフ時などにタッチパネル入力を無効化すれば、タッチパネルに対しての意図しない入力を適切に抑制できることとなる。
【０１３３】
・上記の各実施形態においては、撮像装置に設置された背面モニタ１２にタッチパネル１２９を設けるのは必須でなく、撮像装置にコネクタ等を介して着脱可能に接続するモニタにタッチパネルを設けるようにしても良い。
【０１３４】
・上記の各実施形態においては、タッチパネルを用いてタッチ位置の検出を行うのは必須でなく、例えば表示画面上に格子状に張り巡らされる赤外線などの光線や、表示画面上を走査する光線が遮られた箇所を検知することによりタッチ位置を光学的に検出しても良い。
【図面の簡単な説明】
【０１３５】
【図１】本発明の第１実施形態に係る撮像装置１Ａの外観構成を示す図である。
【図２】撮像装置１Ａの外観構成を示す図である。
【図３】モニタ本体１２ａの姿勢変更について説明するための図である。
【図４】モニタ本体１２ａの姿勢変更について説明するための図である。
【図５】撮像装置１Ａの機能構成を示すブロック図である。
【図６】光学ファインダによる構図決め動作を示す断面図である。
【図７】電子ファインダによる構図決め動作を示す断面図である。
【図８】撮像装置１Ａの基本的な動作を示すフローチャートである。
【図９】本発明の第２実施形態に係る撮像装置１Ｂの基本的な動作を説明するための図である。
【図１０】本発明の第３実施形態に係る撮像装置１Ｃにおけるタッチパネル入力の制御動作を説明するための図である。
【図１１】撮像装置１Ｃの基本的な動作を示すフローチャートである。
【図１２】タッチパネル入力の条件設定に関する動作を説明するための図である。
【図１３】背面モニタ１２の姿勢検知に関する他の手法を説明するための図である。
【符号の説明】
【０１３６】
１Ａ〜１Ｃ  撮像装置
２  カメラ本体部
３  交換レンズ
５、７  撮像素子
１１  レリーズボタン
１２  背面モニタ
１２ａ  モニタ本体
１２ｂ  連結部材
１５  接眼検知部
１６  把持検知部
１７  モニタ姿勢検知部
８０  操作部
８５  再生ボタン
１０１Ａ〜１０１Ｃ  全体制御部
１１２Ａ〜１１２Ｃ  タッチパネル入力制御部
１２６  液晶ディスプレイ(ＬＣＤ)
１２７  液晶パネル
１２８  バックライト
１２９  タッチパネル
Ｅｄ  接眼検知可能領域
Ｑａ、Ｑｂ  傾斜姿勢
Ｑｏ  基本姿勢
【図１】
2010044567.tif 000003
【図２】
2010044567.tif 000004
【図３】
2010044567.tif 000005
【図４】
2010044567.tif 000006
【図５】
2010044567.tif 000007
【図６】
2010044567.tif 000008
【図７】
2010044567.tif 000009
【図８】
2010044567.tif 000010
【図９】
2010044567.tif 000011
【図１０】
2010044567.tif 000012
【図１１】
2010044567.tif 000013
【図１２】
2010044567.tif 000014
【図１３】
2010044567.tif 000015